(57)【要約】【課題】インナースキンの内側に設けた執務室内で人が風を感じられる高さに通風を得られるカーテンウォールを提供すること。【解決手段】建物の外壁を構成するアウタースキン２と、アウタースキン２の内側に設けられ、アウタースキン２との間にキャビティ３を形成するインナースキン４とを備えたカーテンウォール１において、インナースキン４を開閉可能に設置するとともに、アウタースキン２を構成する外層パネル２１を繋ぐ水平分割位置をインナースキン４の内側に設けた執務室内で人が風を感じられる位置に設定し、該位置にアウタースキン２の外部からキャビティ３の内部に風を通す通風機構２２を設けたので、インナースキン４を開放すれば、インナースキン４の内側に設けた執務室内で人が風を感じられる高さに通風を得られる。【選択図】図２
2013249653.tif 000002
【特許請求の範囲】
【請求項１】
建物の外壁を構成するアウタースキンと、前記アウタースキンの内側に設けられ、前記アウタースキンとの間にキャビティを形成するインナースキンとを備えたカーテンウォールにおいて、
前記インナースキンを開閉可能に設置するとともに、
前記アウタースキンを構成する外層パネルを繋ぐ水平分割位置を前記インナースキンの内側となる執務室内で人が風を感じられる位置に設定し、該位置にアウタースキンの外部からキャビティの内部に風を通す通風機構を設けたことを特徴とするカーテンウォール。
【請求項２】
前記通風機構を下段となる外層パネルの上無目と上段となる外層パネルの下無目との間に設けたことを特徴とする請求項１に記載のカーテンウォール。
【請求項３】
前記通風機構は、キャビティとの接点に定風量型の通風装置を有することを特徴とする請求項１または２に記載のカーテンウォール。
【請求項４】
前記キャビティの内部に光を遮るブラインドを設置したことを特徴とする請求項１〜３のいずれか一つに記載のカーテンウォール。
【請求項５】
前記インナースキンは、引戸型遮音サッシュに遮音ガラスを組み込んだサッシュで構成したことを特徴とする請求項１〜４のいずれか一つに記載のカーテンウォール。
【発明の詳細な説明】
【技術分野】
【０００１】
本発明は、建物の外壁を構成するカーテンウォールに関する。
【背景技術】
【０００２】
建物の外壁を構成するカーテンウォールには、アウタースキンの内側にインナースキンを設けたダブルスキン構造のものがある。アウタースキンは、建物の外壁を構成し、インナースキンは、アウタースキンとの間に空気層を形成する。ダブルスキン構造のカーテンウォールは、アウタースキンとインナースキンとの間に形成された空気層が断熱層として機能し、冬期などの寒いときにはインナースキンの内側に設けた執務室内の暖房効率を高める一方、夏期などの暑いときにはアウタースキンとインナースキンとの間の空気を換気することにより、空気層の温度上昇を緩和する（例えば、特許文献１または２参照）。
【０００３】
さらに、ダブルスキン構造のカーテンウォールには、自然通風兼用型のものがある。自然通風兼用型のカーテンウォールは、アウタースキンとインナースキンに通気機構（ガラリや空気取入口）を設けたものであるが、通気機構を設けた部位は、アウタースキンおよびインナースキンの構造強度上脆弱な部位となる。これにより、アウタースキンの通風機構は、各階スラブの近傍となるカーテンウォールの無目に設け、インナースキンの通風機構は、天井際となる無目や床付近となる無目に設けるのが通例であった。
【先行技術文献】
【特許文献】
【０００４】
【特許文献１】特開２００６−１９３９０７号公報
【特許文献２】特開２０１１−１１１８３３号公報
【発明の概要】
【発明が解決しようとする課題】
【０００５】
しかしながら、上述したカーテンウォールは、インナースキンの内側となる執務室内で人が風を感じられる高さに通風を得られない。
【０００６】
本発明は、上記に鑑みてなされたものであって、インナースキンの内側となる執務室内で人が風を感じられる高さに通風を得られるカーテンウォールを提供することを目的にする。
【課題を解決するための手段】
【０００７】
上述した課題を解決し、目的を達成するために、本発明は、建物の外壁を構成するアウタースキンと、前記アウタースキンの内側に設けられ、前記アウタースキンとの間にキャビティを形成するインナースキンとを備えたカーテンウォールにおいて、前記インナースキンを開閉可能に設置するとともに、前記アウタースキンを構成する外層パネルを繋ぐ水平分割位置を前記インナースキンの内側となる執務室内で人が風を感じられる位置に設定し、該位置にアウタースキンの外部からキャビティの内部に風を通す通風機構を設けたことを特徴とする。
【０００８】
また、本発明は、上記発明において、前記通風機構を下段となる外層パネルの上無目と上段となる外層パネルの下無目との間に設けたことを特徴とする。
【０００９】
また、本発明は、上記発明において、前記通風機構は、キャビティとの接点に定風量型の通風装置を有することを特徴とする。
【００１０】
また、本発明は、上記発明において、前記キャビティの内部に光を遮るブラインドを設置したことを特徴とする。
【００１１】
また、本発明は、上記発明において、前記インナースキンは、引戸型遮音サッシュに遮音ガラスを組み込んだサッシュで構成したことを特徴とする。
【発明の効果】
【００１２】
本発明にかかるカーテンウォールは、インナースキンを開閉可能に設置するとともに、アウタースキンを構成する外層パネルを繋ぐ水平分割位置をインナースキンの内側となる執務室内で人が風を感じられる位置に設定し、該位置にアウタースキンの外部からキャビティの内部に風を通す通風機構を設けたので、インナースキンを開放すれば、インナースキンの内側となる執務室内で人が風を感じられる高さに通風を得られる。
【図面の簡単な説明】
【００１３】
【図１】図１は、本発明の実施の形態であるカーテンウォールの外観斜視図である。
【図２】図２は、図１に示したカーテンウォールの側断面図である。
【図３】図３は、図１に示したカーテンウォールの平断面図である。
【発明を実施するための形態】
【００１４】
以下に、本発明にかかるカーテンウォールの実施の形態を図面に基づいて詳細に説明する。なお、この実施の形態によりこの発明が限定されるものではない。
【００１５】
図１は、本発明の実施の形態であるカーテンウォールの外観斜視図である。図２は、図１に示したカーテンウォールの側断面図であり、図３は、図１に示したカーテンウォールの平断面図である。
【００１６】
図１に示すように、カーテンウォール１は、建物の外壁を構成するもので、本発明の実施の形態であるカーテンウォール１は、図２および図３に示すように、建物の外壁を構成するアウタースキン２と、アウタースキン２との間にキャビティ３を形成するインナースキン４とを備えており、インナースキン４の内側が執務室５となる。
【００１７】
アウタースキン２は、複数の外層パネル２１を躯体に貼設し、上下方向で繋ぎ合わせたもので、複数の外層パネル２１は、任意に設定した水平分割位置Ｐで繋ぎ合わせられる。本発明の実施の形態では、外層パネル２１は、一階層分の高さを有しており、水平分割位置Ｐは、インナースキン４の内側となる執務室内で人が風を感じられる位置に設定してある。例えば、執務室５の床面ＦＬから７００ｍｍ程度の高さに設定してあり、この位置で窓面を上下に分割する。これにより、下段となる外層パネル２１と上段となる外層パネル２１とで一つの窓面を塞ぐことになる。
【００１８】
外層パネル２１は、方立２１１と無目２１２とにより構成した枠体に止水バックパネル２１３と一対の日射低減型の複層ガラス２１４，２１５が嵌め込まれたもので、止水バックパネル２１３は下層階の天井から上層階の床に亘り設けられ、一対の複層ガラス２１４，２１５は止水バックパネル２１３の上方域と下方域とに嵌め込まれる。これにより、下段となる外層パネル２１の上方域に嵌め込まれた複層ガラス２１４と上段となる外層パネル２１の下方域に嵌め込まれた複層ガラス２１５が一つの窓面を塞ぐことになる。また、止水バックパネル２１３の前方には、幕板２１６が嵌め込まれている。幕板２１６は、止水バックパネル２１３よりもやや大きく、止水バックパネル２１３と重なり、止水バックパネル２１３、上方域に嵌め込まれた複層ガラス２１４との繋ぎ目、下方域に嵌め込まれた複層ガラス２１５との繋ぎ目を隠し、建物の外観を整える。
【００１９】
下段となる外層パネル２１の上無目２１２ａと上段となる外層パネル２１の下無目２１２ｂとの間には、通風機構２２が設けてある。通風機構２２は、アウタースキン（外層パネル２１）２の外部からキャビティ３の内部に風を通すもので、雨水の浸入抑制に十分なストローク（奥行き）を有している。通風機構２２は、定風量型の通風装置２２１を介して、アウタースキン２の外部よりキャビティ３の内部に風を通す。また、通風機構２２は、キャビティ３との接点に定風量型の通風装置２２１が有する。図２に示すように、定風量型の通風装置２２１は、手動式、電動式制御の選択が可能であり、また、通風機構２２に組み込み可能である。
【００２０】
インナースキン４は、アウタースキン２の内側に設けられ、上述したように、アウタースキン２との間にキャビティ３を形成する。本発明の実施の形態であるインナースキン４は、開閉可能であって、開放した場合にキャビティ３と執務室５とが連通し、アウタースキン２の外部からキャビティ３に通した風をそのまま執務室５に通す一方、閉鎖した場合にキャビティ３と執務室５との間を遮断し、空気の浸入を防止する。
【００２１】
本発明の実施の形態であるカーテンウォール１のインナースキン４は、通風機構２２からの外部騒音、また、隣接する室内の騒音が進入しないように配慮され、引戸型遮音サッシュに遮音ガラスを組み込んだサッシュで構成してある。具体的には、上吊式同面引き違いアルミサッシュであって、枠はアルミ製の遮音性能を有し、ガラスは四辺支持の防音合わせガラスである。
【００２２】
キャビティ３は、アウタースキン２とインナースキン４との間に設けられた空間であって、アウタースキン２の通風機構２２を閉鎖するとともに、インナースキン４を閉鎖した場合に執務室内の温度環境向上のための空気層として機能する。
【００２３】
キャビティ３の内部には、ブラインド３１が設置してある。ブラインド３１は、光を遮るためのもので、本実施の形態であるカーテンウォール１のブラインド３１は、電動アルミ製のブラインドを採用する。
【００２４】
上述した本発明の実施の形態であるカーテンウォール１は、冬期などの寒いときには、通風機構２２を閉鎖するとともに、インナースキン４を閉鎖し、アウタースキン２とインナースキン４との間に空気層を形成する。これにより、空気層は断熱層として機能し、執務室内の暖房効率を高める。この結果、本発明の実施の形態であるカーテンウォール１は、冬期における温熱環境向上ダブルスキンとして機能する。
【００２５】
一方、夏期などの暑いときには、通風機構２２を開放するとともに、インナースキン４を閉鎖し、キャビティ３の空気を入れ換える。これにより、アウタースキン２とインナースキン４との間に形成された空気層の温度上昇を緩和する。この結果、本発明の実施の形態であるカーテンウォール１は、夏期における温度環境向上ダブルスキンとして機能する。
【００２６】
他方、春や秋などの中間期にて、節電を行うため自然換気を行う際には、通風機構２２を開放するとともに、インナースキン４を開放し、アウタースキン２の外部からインナースキン４の内側となる執務室内に風を通す。これにより、執務室内で人が風を感じられことになり、風が通る位置は執務環境上、好適なものとなる。
【００２７】
上述した本発明の実施の形態であるカーテンウォール１は、インナースキン４を開閉可能にするとともに、アウタースキン２を構成する外層パネル２１を繋ぐ水平分割位置をインナースキン４の内側となる執務室内で風を感じられる位置に設定し、該位置にアウタースキン２の外部からキャビティ３の内部に風を通す通風機構２２を設けたので、通風機構２２を開放するとともにインナースキン４を開放すれば、インナースキン４の内側となる執務室内で人が風を感じられる高さに通風を得られる。これにより、風が通る位置は執務環境上、好適なものとなる。
【００２８】
また、本発明の実施の形態であるカーテンウォール１のインナースキン４を引戸型遮音サッシュに遮音ガラスを組み込んだサッシュで構成したので、アウタースキン２の外部からインナースキン４の内側となる執務室内に音が漏れることが防止でき、執務環境上、好適なものとなる。
【符号の説明】
【００２９】
１    カーテンウォール
２    アウタースキン
２１    外層パネル
２１１    方立
２１２    無目
２１２ａ    上無目
２１２ｂ    下無目
２１３    止水バックパネル
２１４，２１５    複層ガラス
２１６    幕板
２２    通風機構
２２１    通風装置
３    キャビティ
３１    ブラインド
４    インナースキン
５    執務室
Ｐ    水平分割位置
ＦＬ    執務室の床面
【図１】
2013249653.tif 000003
【図２】
2013249653.tif 000004
【図３】
2013249653.tif 000005